(57)【要約】【課題】画像ファイルのファイル名のリネーム処理を効率良く行う。【解決手段】本実施形態に係るリネーム処理装置は、撮影画像を受信する受信部と、前記撮影画像を解析し、前記撮影画像のファイル名の部品候補となる言葉を生成する画像解析部と、前記部品候補の選択を受け付ける選択部と、選択された部品候補を用いて新たなファイル名を作成し、前記撮影画像のファイル名を変更するリネーム処理部と、を備える。部品候補は、例えば、撮影画像に写っている人物の名前や、撮影画像のシーンを表す言葉である。【選択図】図１
2019204355.tif 000002
【特許請求の範囲】
【請求項１】
撮影画像を受信する受信部と、
前記撮影画像を解析し、前記撮影画像のファイル名の部品候補となる言葉を生成する画像解析部と、
前記部品候補の選択を受け付ける選択部と、
選択された部品候補を用いて新たなファイル名を作成し、前記撮影画像のファイル名を変更するリネーム処理部と、
を備えるリネーム処理装置。
【請求項２】
複数の人物の顔画像と人名とを対応付けた見本画像を記憶する記憶部をさらに備え、
前記画像解析部は、前記見本画像を参照し、前記撮影画像に写っている人物の名前を部品候補として生成することを特徴とする請求項１に記載のリネーム処理装置。
【請求項３】
前記画像解析部は、文字認識により前記撮影画像内の文字を読み取り、前記文字に基づいて部品候補を生成することを特徴とする請求項１又は２に記載のリネーム処理装置。
【請求項４】
前記撮影画像に複数の人物が写っている場合、前記画像解析部は、所定の色の服を着ている人物を解析対象とすることを特徴とする請求項２又は３に記載のリネーム処理装置。
【請求項５】
前記画像解析部は前記撮影画像のシーン解析を行い、シーンを表す言葉を部品候補として生成することを特徴とする請求項１乃至４のいずれか１項に記載のリネーム処理装置。
【請求項６】
請求項１乃至５のいずれか１項に記載のリネーム処理装置と、
前記リネーム処理装置からファイル名変更後の撮影画像の画像データを受信し、前記画像データをプリンタへ転送してプリント出力させるプリンタ制御装置と、
を備える印画物販売システム。
【請求項７】
撮影画像を受信するステップと、
前記撮影画像を解析し、前記撮影画像のファイル名の部品候補となる言葉を生成するステップと、
前記部品候補の選択を受け付けるステップと、
選択された部品候補を用いて新たなファイル名を作成し、前記撮影画像のファイル名を変更するステップと、
をコンピュータに実行させることを特徴とするプログラム。
【発明の詳細な説明】
【技術分野】
【０００１】
本発明は、リネーム処理装置、印画物販売システム、及びプログラムに関する。
【背景技術】
【０００２】
野球場やコンサート会場等のイベント会場においては、イベント出演者、すなわち野球選手やアーティストに関連する写真（ブロマイド）が販売されている。例えば、販売スペースにＰＣ及びプリンタを設置し、スタッフがＰＣを操作して画像をサーバからＰＣにダウンロードし、プリンタで画像を用紙にプリントして写真を作製し、販売している。
【０００３】
サーバには多数の画像が保存されている。プリントしたい画像を検索するときの検索性向上のため、画像のファイル名には人名（例えば選手名）等を用いることが好ましい。デジタルカメラで選手を撮影した画像には、デジタルカメラにより、英数字で構成されたファイル名が自動付与される。従来、オペレータが画像を目視確認し、相応しいファイル名を考えて手入力で変更していたため、リネーム作業に時間がかかっていた。
【０００４】
最近では、イベント中にプロカメラマンが撮影した写真をプリント出力し、当日販売するサービスが提供されている。このようなサービスを提供している場合、画像ファイルのファイル名のリネーム作業を迅速に行うことが求められる。
【先行技術文献】
【特許文献】
【０００５】
【特許文献１】特開２００２−２３６７７１号公報
【発明の概要】
【発明が解決しようとする課題】
【０００６】
本発明は、上記従来の実状に鑑みてなされたものであり、画像ファイルのファイル名のリネーム処理を効率良く行うことができるリネーム処理装置、印画物販売システム、及びプログラムを提供することを課題とする。
【課題を解決するための手段】
【０００７】
本発明によるリネーム処理装置は、撮影画像を受信する受信部と、前記撮影画像を解析し、前記撮影画像のファイル名の部品候補となる言葉を生成する画像解析部と、前記部品候補の選択を受け付ける選択部と、選択された部品候補を用いて新たなファイル名を作成し、前記撮影画像のファイル名を変更するリネーム処理部と、を備えるものである。
【０００８】
本発明の一態様によるリネーム処理装置において、複数の人物の顔画像と人名とを対応付けた見本画像を記憶する記憶部をさらに備え、前記画像解析部は、前記見本画像を参照し、前記撮影画像に写っている人物の名前を部品候補として生成する。
【０００９】
本発明の一態様によるリネーム処理装置において、前記画像解析部は、文字認識により前記撮影画像内の文字を読み取り、前記文字に基づいて部品候補を生成する。
【００１０】
本発明の一態様によるリネーム処理装置において、前記撮影画像に複数の人物が写っている場合、前記画像解析部は、所定の色の服を着ている人物を解析対象とする。
【００１１】
本発明の一態様によるリネーム処理装置において、前記画像解析部は前記撮影画像のシーン解析を行い、シーンを表す言葉を部品候補として生成する。
【００１２】
本発明の一態様による印画物販売システムは、本発明のリネーム処理装置と、前記リネーム処理装置からファイル名変更後の撮影画像の画像データを受信し、前記画像データをプリンタへ転送してプリント出力させるプリンタ制御装置と、を備えるものである。
【００１３】
本発明の一態様によるプログラムは、撮影画像を受信するステップと、前記撮影画像を解析し、前記撮影画像のファイル名の部品候補となる言葉を生成するステップと、前記部品候補の選択を受け付けるステップと、選択された部品候補を用いて新たなファイル名を作成し、前記撮影画像のファイル名を変更するステップと、をコンピュータに実行させるものである。
【発明の効果】
【００１４】
本発明によれば、画像ファイルのファイル名のリネーム処理を効率良く行うことができる。
【図面の簡単な説明】
【００１５】
【図１】本発明の実施形態に係る印画物販売システムの概略構成図である。
【図２】（ａ）〜（ｃ）はリネーム処理の一例を示す図である。
【図３】管理装置の機能ブロック図である。
【図４】リネーム方法を説明するフローチャートである。
【図５】リネーム処理画面の例を示す図である。
【図６】リネーム処理画面の例を示す図である。
【図７】リネーム処理画面の例を示す図である。
【図８】リネーム処理画面の例を示す図である。
【発明を実施するための形態】
【００１６】
以下、本発明の実施の形態を図面に基づいて説明する。
【００１７】
図１は、本発明の実施形態に係る印画物販売システムの概略構成図である。印画物販売システムは、スポーツ施設やコンサート会場等のイベント会場において写真等の印画物を販売するためのシステムであり、販売画像を管理する管理装置５、画像のリネームを行うオペレータが使用するオペレータ端末７、印画物（写真）をプリント出力するプリンタ４、プリンタ４を制御するプリンタ制御装置３、顧客から画像の選択を受け付け、料金が投入されると、印画物（写真）を自動でプリント出力する画像プリント装置２等を備える。
【００１８】
スポーツの試合中の選手の写真や、コンサート中のミュージシャンの写真が、プロカメラマンのカメラ６で撮影される。カメラ６で撮影された画像は、管理装置５にアップロードされ、当日、販売されるようになっている。
【００１９】
管理装置５にアップロードされた撮影画像のファイル名は、カメラ６により自動付与されたものとなっている。撮影画像のファイル名は、例えば“ＤＳＣ００２５．ｊｐｇ”や“Ｐ５０５００１２．ｊｐｇ”のような英数字で構成され、ファイル名からは、どのような画像か分からない。
【００２０】
管理装置５は、撮影画像の画像解析を行い、写っている人物の名前やシーンを表す言葉を、ファイル名の部品候補として生成し、オペレータ端末７へ送信する。オペレータは、オペレータ端末７に表示された部品候補の中から、撮影画像に適した言葉を選択する。管理装置５は、選択された言葉を用いて新たなファイル名を作成し、撮影画像のファイル名を新たなファイル名に変更する。
【００２１】
例えば、管理装置５に、図２（ａ）に示すようなファイル名“ＩＭＧ５５３１．ｊｐｇ”の撮影画像がアップロードされた場合、管理装置５は、この撮影画像の画像解析を行い、図２（ｂ）に示すように、「柏木陽介」という選手名（人名）と、「ガッツポーズ」「ジャンプ」「笑顔」というシーンを表す言葉を生成する。
【００２２】
オペレータは、撮影画像を見て、オペレータ端末７に表示されたこれらの言葉（部品候補）から、この画像に適した１つ以上の言葉を選択する。例えば、「柏木陽介」と「ガッツポーズ」を選択する。管理装置５は、選択された言葉を連結して“０１＿柏木陽介＿ガッツポーズ．ｊｐｇ”というファイル名を作成し、図５（ｃ）に示すように、撮影画像のファイル名を変更（リネーム）する。ファイル名の中の“０１”は通し番号である。
【００２３】
プリンタ制御装置３及びプリンタ４はイベント会場の写真販売スペースに設置されており、スタッフは、プリンタ制御装置３を操作し、販売する画像を管理装置５からダウンロードする。管理装置５に保存されている撮影画像はリネームされているため、例えば選手名で検索して画像を絞り込み、ダウンロードすることができる。
【００２４】
プリンタ制御装置３からプリンタ４へ画像データを転送し、プリント出力させる。スタッフは、プリンタ４からプリント出力された写真を顧客に販売する。
【００２５】
管理装置５は、リネーム処理後の撮影画像を画像プリント装置２へ送信する。例えば顧客は、写真を購入したい選手の名前を画像プリント装置２に入力して検索する。画像プリント装置２は、顧客から入力された選手名をファイル名に含む画像ファイルのサムネイル一覧画面を表示する。
【００２６】
顧客が購入希望の画像を選択すると、画像プリント装置２は課金処理を行い、顧客から支払われた貨幣を受け入れて、釣り銭を出金する。その後、画像プリント装置２内に収容されているプリンタから、選択された画像をプリント出力する。画像プリント装置２は、写真の自動販売機として機能することができる。
【００２７】
このように、本実施形態によれば、管理装置５が、撮影画像の画像解析を行い、画像ファイル名の部品候補の言葉（単語）を生成する。オペレータは、画像ファイル名のリネームに際し、部品候補の中から言葉を選択するだけでよい。そのため、画像ファイルのファイル名のリネーム処理を効率良く行うことができる。
【００２８】
次に、リネーム処理装置としての機能を有する管理装置５について説明する。図３に示すように、管理装置５は、ＲＯＭ（Read  Only  Memory）、ＲＡＭ（Random  Access  Memory）、不揮発性メモリ、ハードディスク装置等を含む記憶部５０を有したコンピュータであり、記憶部５０にはリネームプログラム、見本画像データ、リネーム処理結果等が格納されている。見本画像データは、例えばスポーツ選手の顔画像と選手名とを対応付けたものである。リネーム処理結果は、過去のリネーム処理においてオペレータにより選択された言葉を記録したものである。また、記憶部５０には、選手の背番号と選手名とを対応付けた背番号リストが格納されていてもよい。
【００２９】
管理装置５のＣＰＵ（Central  Processing  Unit）がリネームプログラムを実行することで、図３に示すように、画像受信部５１、画面送信部５２、画像解析部５３、部品候補選択部５４、リネーム処理部５５及び画像送信部５６の機能が実現される。
【００３０】
画像受信部５１は、販売する写真の画像データを受信し、記憶部５０に格納する。画像データには、当日のイベントの様子をカメラ６で撮影した撮影画像が含まれる。
【００３１】
図４は、リネーム処理の流れを説明するフローチャートである。図４に示すフローチャートに沿って、画面送信部５２、画像解析部５３、部品候補選択部５４、及びリネーム処理部５５の機能について説明する。
【００３２】
画面送信部５２は、リネーム処理画面を作成して、オペレータ端末７へ送信する。図５にリネーム処理画面の一例を示す。例えば、リネーム処理画面の画像ファイル一覧表１００にリネームを行う撮影画像のファイル名が表示される。
【００３３】
オペレータが、まだリネームを行っていない画像ファイルを選択する（ステップＳ１）。画像ファイルが選択されると、画像解析部５３が選択された撮影画像を解析し、画像に写っている選手の名前や、シーンを表す言葉を生成し、図６に示すように、部品候補表示領域１１０，１１４に表示する（ステップＳ２．Ｓ３）。また、選択された画像ファイルの画像が画像表示領域１０２に表示される。
【００３４】
例えば、画像解析部５３は、撮影画像に複数の人物が写っている場合、事前に設定されている色の服を着ている人物を解析対象とする。これにより、例えば、ホームチームの選手を解析対象とすることができる。
【００３５】
画像解析部５３は、文字認識処理、又はＯＣＲ（Optical  Character  Recognition、光学的文字認識）解析により撮影画像内の文字（英数字）を読み取り、部品候補の言葉を生成する。例えば、画像解析部５３は、背番号を読み取り、背番号リストを参照して選手名（人物名）を生成する。また、背番号や、ユニフォームに表示された名前を部品候補としてもよい。
【００３６】
画像解析部５３は、撮影画像に写っている人物の顔画像と、見本画像とを比較する顔画像認識処理により、写っている人物を特定し、選手名（人物名）を生成する。例えば、画像解析部５３は、画像比較により、Ａさんの確率９０％、Ｂさんの確率５％、Ｃさんの確率・・・のように「その人物である確率」を算出し、確率を併記した選手名を部品候補として確率の高い順に表示する。オペレータは、高確率な候補から順にチェックできるので、目視による検索が容易である。
【００３７】
画像解析部５３は、文字認識処理と顔画像認識処理の結果を総合考慮して、人物名を生成してもよい。例えば、ユニフォームが歪んでいて正確に文字認識できず、文字認識処理の認識精度が低い場合、オペレータに「文字認識処理結果を考慮しない」ことを選択させ、人物名を再度生成させてもよい。
【００３８】
画像解析部５３は、シーン解析により撮影画像全体を解析し、画像全体の内容を表現する言葉を生成する。
【００３９】
画像解析部５３は、これらの解析により生成された言葉をファイル名部品候補として部品候補表示領域１１０，１１４に表示する。このとき、画像解析部５３は、記憶部５０に格納されている過去のリネーム処理結果を参照して、表示する部品候補を選択してもよい。
【００４０】
オペレータは、画像表示領域１０２に表示された画像を見て、部品候補表示領域１１０，１１４から、この画像に相応しい部品（言葉）を選択する。部品候補選択部５４は、オペレータから、部品候補の選択を受け付ける。例えば、図７に示すように、オペレータは、部品候補表示領域１１０，１１４から「柏木陽介」と「ガッツポーズ」を選択する。選択中の部品は、選択部品表示領域１０８，１１２に表示される。クリアボタン１２２を押すと、部品の選択を解除できる。
【００４１】
オペレータは、通し番号付加ボタン１０６により、通し番号をファイル名に入れるか否か、入れる場合はファイル名の先頭に入れるか、最後に入れるかを選択できる。図７は、通し番号をファイル名の先頭に入れる場合を示している。
【００４２】
リネーム処理部５５は、通し番号及び選択中の部品をつなげてファイル名を作成する。作成されたファイル名が、完成ファイル名表示領域１０４に表示される。オペレータが、実行ボタン１２０を押すと、リネーム処理部５５がリネームを実行し、ファイル名を変更する（ステップＳ４）。これにより、図８に示すように、画像ファイル一覧表１００内のファイル名も変更される。
【００４３】
リネーム処理部５５は、オペレータにより選択された部品を示すリネーム処理結果を記憶部５０に登録する（ステップＳ５）。
【００４４】
画像ファイル一覧表１００に表示された全ての撮影画像ファイルについてリネーム処理を行う（ステップＳ６）。
【００４５】
画像送信部５６は、プリンタ制御装置３からの要求に応じて、撮影画像データをプリンタ制御装置３へ送信する。また、画像送信部５６は、リネーム処理後の撮影画像データを画像プリント装置２へ送信する。
【００４６】
このように、本実施形態によれば、管理装置５が撮影画像を解析し、画像に写っている人物の名前や、シーンを表す言葉を部品候補として生成する。オペレータが、部品候補の中から部品を選択するだけで、新しいファイル名が自動生成され、ファイル名が変更される。そのため、オペレータの知識・経験によらず、リネーム作業を効率よく行うことができる。
【００４７】
上述したリネームプログラムを記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。また、リネームプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００４８】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４９】
２  画像プリント装置
３  プリンタ制御装置
４  プリンタ
５  管理装置
６  カメラ
７  オペレータ端末
【図１】
2019204355.tif 000003
【図２】
2019204355.tif 000004
【図３】
2019204355.tif 000005
【図４】
2019204355.tif 000006
【図５】
2019204355.tif 000007
【図６】
2019204355.tif 000008
【図７】
2019204355.tif 000009
【図８】
2019204355.tif 000010